(57)【要約】【課題】交流電磁石から生じる交流磁場により、複数の永久磁石を振動させ、人体に断続的に衝突されることで、人体を刺激する交流電磁石及び永久磁石による人体の刺激方法及び人体の刺激装置を提供する。【解決手段】交流電磁石１は、通電されることにより図示されない交流磁場が発生され、図示されない交流磁場により永久磁石２、２ａ、２ｂ、２ｃが振動される。振動される永久磁石２、２ａ、２ｂ、２ｃは、人体３、３ａが断続的に衝突され、人体３、３ａを刺激する交流電磁石及び永久磁石による人体の刺激方法及び人体の刺激装置である。このため、永久磁石２、２ａ、２ｂ、２ｃの振動が、断続的に衝突される人体３、３ａに伝播され、刺激されることによるマッサージ効果と、永久磁石２、２ａ、２ｂ、２ｃからの磁力線による人体３、３ａの刺激効果とが得られる。【選択図】　　　　　　　　図１
2004089477.tif 000002
【特許請求の範囲】
【請求項１】
交流電磁石が通電されることにより交流磁場が発生され、
前記交流磁場により永久磁石が振動され、
前記振動される永久磁石が人体に断続的に衝突され、前記人体を刺激することを特徴とする交流電磁石及び永久磁石による人体の刺激方法。
【請求項２】
所定の高さに配置され、交流電流が通電されるコイルが巻き回される鉄芯を備え、交流磁場が発生される交流電磁石と、
人手により把持される永久磁石と、から成り、
前記交流磁場により前記永久磁石が振動され、前記振動される永久磁石が人体に断続的に衝突されることにより前記人体を刺激することを特徴とする人体の刺激装置。
【請求項３】
所定の高さに配置され、交流電流が通電されるコイルが巻き回される鉄芯を備え、交流磁場が発生される交流電磁石と、
人手により把持されるケースと、
前記ケース内に振動可能に設けられる永久磁石と、から成り、
前記交流磁場により前記永久磁石が振動され、前記振動される永久磁石が人体に断続的に衝突されることにより前記人体を刺激することを特徴とする人体の刺激装置。
【請求項４】
人手により把持可能な取っ手が設けられるケースと、
前記ケース内に設けられ、交流電流が通電されるコイルが巻き回される鉄芯を備え、交流磁場が発生される交流電磁石と、
前記ケース内に振動可能に設けられる前記永久磁石と、から成り、
前記交流磁場により前記永久磁石が振動され、前記振動される永久磁石が人体に断続的に衝突されることにより前記人体を刺激することを特徴とする人体の刺激装置。
【請求項５】
ほぼシート状の基板と、
前記基板に接してあるいはほぼ接して設けられ、交流電流が通電されるコイルが巻き回される鉄芯を備え、交流磁場が発生される交流電磁石と、
前記交流電磁石とは反対面側において前記基板に振動可能に設けられる複数の永久磁石と、から成り、
前記交流磁場により前記永久磁石が振動され、前記振動される永久磁石が人体に断続的に衝突されることにより前記人体を刺激することを特徴とする人体の刺激装置。
【請求項６】
シート状の基板と、
前記基板に接してあるいはほぼ接して設けられ、交流電流が通電されるコイルが巻き回される鉄芯を備え、交流磁場が発生される交流電磁石と、
前記基板に振動可能に内包、保持される複数の永久磁石と、から成り、
前記交流磁場により前記永久磁石が振動され、前記振動される永久磁石が人体に断続的に衝突されることにより前記人体を刺激することを特徴とする人体の刺激装置。
【発明の詳細な説明】
【０００１】
【発明の属する技術分野】
本発明は、交流磁場により永久磁石を振動させて人体を刺激する交流電磁石及び永久磁石による人体の刺激方法及び人体の刺激装置に関する。
【０００２】
【従来の技術】
従来、例えば、実開平５−２４０３６において、圧迫マグネットを磁着した浴槽
が提案されている。
上述の従来例は、浴槽の外周面に外部固定マグネットを取り付けて、外部固定マグネットに、吸着マットに埋設した圧迫マグネットを磁気の吸引力で取り付けたもので、入浴中、吸着マットを人体の所望の位置に合わせて吸着させ、圧迫マグネットに患部を押し当て圧迫することによる圧迫治療効果と、強磁性による治療との相乗効果が得られるものである。
【０００３】
【発明が解決しようとする課題】
そこで、本発明は、交流電磁石から生じる交流磁場により、永久磁石を振動させ、人体に断続的に衝突されることで、人体を刺激する交流電磁石及び永久磁石による人体の刺激方法及び人体の刺激装置を提供することを目的とする。
【０００４】
【課題を解決するための手段】
請求項１の本発明は、　交流電磁石が通電されることにより交流磁場が発生され、
前記交流磁場により永久磁石が振動され、
前記振動される永久磁石が人体に断続的に衝突され、前記人体を刺激することを特徴とする交流電磁石及び永久磁石による人体の刺激方法である。
【０００５】
請求項２の本発明は、　所定の位置に配置され、交流電流が通電されるコイルが巻き回される鉄芯を備え、交流磁場が発生される交流電磁石と、
人手により把持される永久磁石と、から成り、
前記交流磁場により前記永久磁石が振動され、前記振動される永久磁石が人体に断続的に衝突されることにより前記人体を刺激することを特徴とする人体の刺激装置である。
【０００６】
請求項３の本発明は、所定の位置に配置され、交流電流が通電されるコイルが巻き回される鉄芯を備え、交流磁場が発生される交流電磁石と、
人手により把持されるケースと、
前記ケース内に振動可能に設けられる永久磁石と、から成り、
前記交流磁場により前記永久磁石が振動され、前記振動される永久磁石が人体に断続的に衝突されることにより前記人体を刺激することを特徴とする人体の刺激装置である。
【０００７】
請求項４の本発明は、人手により把持可能に取っ手が設けられるケースと、
前記ケース内に設けられ、交流電流が通電されるコイルが巻き回される鉄芯を備え、交流磁場が発生される交流電磁石と、
前記ケース内に振動可能に設けられる永久磁石と、から成り、
前記交流磁場により前記永久磁石が振動され、前記振動される永久磁石が人体に断続的に衝突されることにより前記人体を刺激することを特徴とする人体の刺激装置である。
【０００８】
請求項５の本発明は、ほぼシート状の基板と、
前記基板に接してあるいはほぼ接して設けられ、交流電流が通電されるコイルが巻き回される鉄芯を備え、交流磁場が発生される交流電磁石と、
前記交流電磁石とは反対面側において前記基板に振動可能に設けられる複数の永久磁石と、から成り、
前記交流磁場により前記永久磁石が振動され、前記振動される永久磁石が人体に断続的に衝突されることにより前記人体を刺激することを特徴とする人体の刺激装置である。
【０００９】
請求項６の本発明は、シート状の基板と、
前記基板に接してあるいはほぼ接して設けられ、交流電流が通電されるコイルが巻き回される鉄芯を備え、交流磁場が発生される交流電磁石と、
前記基板に振動可能に内包、保持される複数の永久磁石と、から成り、
前記交流磁場により前記永久磁石が振動され、前記振動される永久磁石が人体に断続的に衝突されることにより前記人体を刺激することを特徴とする人体の刺激装置である。
【００１０】
請求項１の本発明によれば、図１に示されるように、交流電磁石１は、通電されることにより図示されない交流磁場が発生され、図示されない交流磁場により永久磁石２ｃが振動される。　振動される永久磁石２ｃは、人体３ａが断続的に衝突され、人体３ａを刺激する。
このため、永久磁石２ｃの振動が、断続的に衝突される人体３ａに伝播され、刺激されることによるマッサージ効果が得られる。又、永久磁石２ｃからの磁力線により人体３ａが刺激される。
【００１１】
請求項２の本発明によれば、図１に示されるように、交流電磁石１は、所定の位置に配置され、交流電流が通電されるコイル５が巻き回される鉄芯６を備え、図示されない交流磁場が発生される。永久磁石２ｃは、人手３ｂにより把持される。このため、　図示されない交流磁場により永久磁石２ｃが振動され、振動される永久磁石２ｃに人体３ａが断続的に衝突されることで、人体３ａを刺激することによるマッサージ効果が得られる。　　又、永久磁石２ｃの磁力線による人体３ａへの刺激も得られる。
【００１２】
請求項３の本発明によれば、図２に示されるように、交流電磁石１は、所定の位置に配置され、交流電流が通電されるコイル５が巻き回される鉄芯６を備え、図示されない交流磁場が発生される。永久磁石２は、人手３ｂにより把持されるケース４内に振動可能に設けられる。。
このため、　図示されない交流磁場により永久磁石２が振動され、振動される永久磁石２に人体３ａが断続的に衝突されることで、人体３ａを刺激することによるマッサージ効果が得られる。　　又、永久磁石２の磁力線による人体３ａへの刺激も得られる。
【００１３】
請求項４の本発明によれば、図３に示されるように、ケース４は、人手３ｂにより把持可能に取っ手１３が設けられ、交流電磁石１は、ケース４内に設けられ、交流電流が通電されるコイル５が巻き回される鉄芯６を備え、図示されない交流磁場が発生される。永久磁石２は、ケース４内に振動可能に設けられる。
このため、　図示されない交流磁場により永久磁石２が振動され、振動される永久磁石２に人体３ａが断続的に衝突されることで、人体３ａを刺激することによるマッサージ効果が得られる。　　又、永久磁石２の磁力線による人体３ａへの刺激も得られる。
【００１４】
請求項５の本発明によれば、図４に示されるように、基板４ａは、ほぼシート状に形成され、人体３が当接される。永久磁石２ａは、基板４ａに振動可能に複数保持される。交流電磁石１は、永久磁石２ａと反対面側において基板４ａに接してあるいはほぼ接して設けられ、交流電流が通電されるコイル５が巻き回される鉄芯６を備え、図示されない交流磁場が発生される。
このため、図示されない交流磁場により永久磁石２ａが振動され、振動される永久磁石２ａに人体３が断続的に衝突されることで、人体３を刺激することによるマッサージ効果が得られる。　　又、永久磁石２ａの磁力線による人体３への刺激も得られる。
【００１５】
請求項６の本発明によれば、図５に示されるように、基板４ｂは、シート状に形成され、人体３が当接される。永久磁石２ｂは、基板４ｂに振動可能に複数保持され、交流電磁石１は、永久磁石２ｂと反対面側において基板４ｂに接してあるいはほぼ接して設けられ、交流電流が通電されるコイル５が巻き回される鉄芯６を備え、図示されない交流磁場が発生される。
このため、図示されない交流磁場により永久磁石２ｂが振動され、振動される永久磁石２ｂに人体３ｂが断続的に衝突されることで、人体３ｂを刺激することによるマッサージ効果が得られる。　　又、永久磁石２ｂの磁力線による人体３ｂへの刺激も得られる。
【００１６】
【発明の実施の形態】
以下、本発明を、図面を参照して、その実施の形態に基づいて説明する。
本発明の交流電磁石及び永久磁石による人体の刺激方法の一実施の形態は、図１に示されるように、交流電磁石１は、通電されることにより図示されない交流磁場が発生され、図示されない交流磁場により永久磁石２ｃが振動される。　振動される永久磁石２ｃは、人体３ａが断続的に衝突され、人体３ａを刺激する。
このため、永久磁石２ｃの振動が、断続的に衝突される人体３ａに伝播され、刺激されることによるマッサージ効果が得られる。又、永久磁石２ｃからの磁力線により人体３ａが刺激される。
次に、本発明の人体の刺激装置の一実施の形態は、図１に示されるように、交流電磁石１は、格納ケース１０内に設けられ、格納ケース１０は、連結管１１を介して吊り下げ装置１２と連結され、或いは台上に設けられ、所定の位置に保持される。　人体３ａの所望の部位に対応される永久磁石２ｃの位置に追随して、図示されない交流磁場が移動されれば良く、交流電磁石１の位置は限定されない。又、交流電流が通電されるコイル５が巻き回される鉄芯６を備え、図示されない交流磁場が発生される。
次に、永久磁石２ｃは、人手３ｂにより把持される。永久磁石２ｃと交流電磁石１との相対距離により、図示されない交流磁場と永久磁石２ｃの振動の強さが変化することで、人体３ａ　が所望の刺激を得られる。永久磁石２ｃの材質は、好適には、ネオジウムが用いられるが、保磁力の大きい強磁性体であれば良く、材質は限定されない。　格納ケース１０は、好適には、合成樹脂より成るが、電気絶縁体で、且つ、軽量であれば良く、材質は限定されない。又、連結管１１内に、交流電磁石１の電源ケーブルを収容することも可能である。
このため、永久磁石２ｃは、交流電磁石１による交流磁場の領域内で使用されることにより、永久磁石２ｃが振動され、振動される永久磁石２ｃに人体３ａが断続的に衝突されることで、人体３ａの所望の部位を刺激し、マッサージ効果が得られる。　　又、永久磁石２ｃの磁力線による人体３ｂへの刺激も得られる。
【００１７】
本発明の交流電磁石及び永久磁石による人体の刺激方法の他の実施の形態は、図２に示されるように、交流電磁石１は、通電されることにより図示されない交流磁場が発生され、図示されない交流磁場により永久磁石２が振動される。　振動される永久磁石２は、人体３ａが断続的に衝突され、人体３ａを刺激する。
このため、永久磁石２の振動が、断続的に衝突される人体３ａに伝播され、刺激されることによるマッサージ効果が得られる。又、永久磁石２からの磁力線により人体３ａが刺激される。
次に、本発明の人体の刺激装置の他の実施の形態は、図２に示されるように、交流電磁石１は、格納ケース１０内に設けられ、格納ケース１０は、連結管１１を介して吊り下げ装置１２と連結され、或いは台上に設けられ、所定の位置に保持される。　人体３ａの所望の部位に対応される永久磁石２の位置に追随して、図示されない交流磁場が移動されれば良く、交流電磁石１の位置は限定されない。又、交流電流が通電されるコイル５が巻き回される鉄芯６を備え、図示されない交流磁場が発生される。
次に、永久磁石２は、ケース４内に振動可能に保持され、永久磁石２のコラム８の端末部にフランジ９が形成され、永久磁石２の振動が所定の振幅に制限される。永久磁石２と交流電磁石１との相対距離により、図示されない交流磁場と永久磁石２の振動の強さが変化することで、人体３ａ　が所望の刺激を得られる。永久磁石２の材質は、好適には、ネオジウムが用いられるが、保磁力の大きい強磁性体であれば良く、材質は限定されない。　格納ケース１０及びケース４は、好適には、合成樹脂より成るが、電気絶縁体で、且つ、軽量であれば良く、材質は限定されない。又、連結管１１内に、交流電磁石１の電源ケーブルを収容することも可能である。
このため、永久磁石２は、交流電磁石１による交流磁場の領域内で使用されることにより、永久磁石２が振動され、振動される永久磁石２に人体３ａが断続的に衝突されることで、人体３ａの所望の部位を刺激し、マッサージ効果が得られる。　　又、永久磁石２の磁力線による人体３ｂへの刺激も得られる。
【００１８】
また、本発明の交流電磁石及び永久磁石による人体の刺激方法のさらに他の実施の形態は、図３に示されるように、交流電磁石１は、通電されることにより図示されない交流磁場が発生され、図示されない交流磁場により永久磁石２が振動される。　振動される永久磁石２は、人体３ａが断続的に衝突され、人体３ａを刺激する。
このため、永久磁石２の振動が、断続的に衝突される人体３ａに伝播され、刺激されることによるマッサージ効果が得られる。又、永久磁石２からの磁力線により人体３ａが刺激される。
次に、本発明の人体の刺激装置のさらに他の実施の形態は、図３に示されるように、ケース４は、人手３ｂにより把持可能に取っ手１３が設けられ、人体３ａの所望の部位に合わせてケース４を自由に移動することができる。又、一体に形成されるケース４内に、交流電磁石１と永久磁石２とが設けられ、装置として場所を取らず、使い勝手が良い。ケース４を図示されない吊り下げ装置に連結して、移動操作時のケース４の自重負荷を軽減することも可能である。　好適には、合成樹脂より成るが、電気絶縁体で、且つ、軽量であれば良く、材質は限定されない。　交流電磁石１は、ケース４内に設けられ、交流電流が通電されるコイル５が巻き回される鉄芯６を備え、図示されない交流磁場が発生される。次に、永久磁石２は、ケース４内に、交流電磁石１とは反対面側に振動可能に保持され、永久磁石２のコラム８の端末部にフランジ９が形成され、永久磁石２の振動が所定の振幅に制限される。永久磁石２の材質は、好適には、ネオジウムが用いられるが、保磁力の大きい強磁性体であれば良く、材質は限定されない。
このため、　図示されない交流磁場により永久磁石２が振動され、振動される永久磁石２に人体３ａが断続的に衝突されることで、人体３ａを刺激することによるマッサージ効果が得られる。　又、永久磁石２の磁力線による人体３ａへの刺激も得られる。
【００１９】
次に、本発明の交流電磁石及び永久磁石による人体の刺激方法のさらに他の実施の形態は、図４に示されるように、交流電磁石１は、通電されることにより図示されない交流磁場が発生され、図示されない交流磁場により永久磁石２ａが振動される。　振動される永久磁石２ａは、人体３が断続的に衝突され、人体３を刺激する。
このため、永久磁石２ａの振動が、断続的に衝突される人体３に伝播され、刺激されることによるマッサージ効果が得られる。又、永久磁石２ａからの磁力線により人体３が刺激される。
本発明の人体の刺激装置のさらに他の実施の形態は、図４に示されるように、基板４ａは、ほぼシート状に形成される。好適には、合成樹脂より成るが、電気絶縁体で、人体３を確実に当接できれば良く、材質は限定されない。
又、人体３が当接されることから、触感や衛生上から人体３との間に被覆シート７を介在させても良い。
永久磁石２ａは、基板４ａに振動可能に複数保持される。　永久磁石２ａのコラム８の端末部にフランジ９が形成され、永久磁石２ａの振動が所定の振幅に制限される。　永久磁石２の材質は、好適には、ネオジウムが用いられるが、保磁力の大きい強磁性体であれば良く、材質は限定されない。
次に、交流電磁石１は、永久磁石２ａと反対面側において基板４ａに接してあるいはほぼ接して設けられ、交流電流が通電されるコイル５が巻き回される鉄芯６を備え、図示されない交流磁場が発生される。
このため、　図示されない交流磁場により永久磁石２ａが振動され、振動される永久磁石２ａに人体３が断続的に衝突されることで、人体３を刺激し、マッサージ効果が得られる。　　　又、永久磁石２ａの磁力線による人体３への刺激も得られる。
【００２０】
次に、本発明の交流電磁石及び永久磁石による人体の刺激方法のさらに他の実施の形態は、図５に示されるように、交流電磁石１は、通電されることにより図示されない交流磁場が発生され、図示されない交流磁場により永久磁石２ｂが振動される。　振動される永久磁石２ｂは、図示されない人体が断続的に衝突され、人体を刺激する。
このため、永久磁石２ｂの振動が、断続的に衝突される図示されない人体に伝播され、刺激されることによるマッサージ効果が得られる。　又、永久磁石２ｂからの磁力線により人体が刺激される。
また、本発明の人体の刺激装置のさらに他の実施の形態は，図５に示されるように、基板４ｂは、柔軟性に富むラバー材料から形成されることも可能で、内包される永久磁石２ｂは、基板４ｂに垂直な方向だけに限らず、限定されない方向に振動されることになる。　永久磁石２の材質は、好適には、ネオジウムが用いられるが、保磁力の大きい強磁性体であれば良く、材質は限定されない。
さらに、永久磁石２ｂの振動の方向は、好適には、基板４ｂに垂直方向であるが、上下、左右、斜め等が考えられ、方向性は限定されない。
このため、図示されない人体の所望の位置に合わせて永久磁石２ｂを対応させることができ、人体は、永久磁石２ｂの、方向が限定されない振動が伝播され、刺激されて、人体３の広範囲に亘ってマッサージ効果が得られる。
【００２１】
【発明の効果】
本発明は、以上説明したように、交流電磁石から生じる交流磁場により、複数の永久磁石を振動させ、人体に断続的に衝突されることで、人体を広範囲に刺激することができ、マッサージ効果が得られる。又、永久磁石の磁力線による刺激効果もある。
【図面の簡単な説明】
【図１】本発明装置の一実施の形態の一部断面図を含む斜視図である。
【図２】本発明装置の他の実施の形態の一部断面図を含む斜視図である。
【図３】本発明装置のさらに他の実施の形態の一部断面図を含む斜視図である。
【図４】本発明装置のさらに他の実施の形態の断面図である。
【図５】本発明装置のさらに他の実施の形態の一部断面図を含む斜視図である。
【符号の説明】
１　　　　交流電磁石　　　　　２，２ａ，２ｂ，２ｃ　永久磁石
３，３ａ　人体　　　　　　　　３ｂ　　　　　人手
４　　　　ケース　　　　　　　　　　４ａ，４ｂ　基板
５　　　　　コイル　　　　　　　　　　６　　　　鉄芯
７　　　　　被覆シート　　　　　　　８　　　　コラム
９　　　　　フランジ　　　　　　　１０　　　　格納ケース
１１　　　　連結管　　　　　　　　　１２　　　　吊り下げ装置
１３　　　　取っ手
【図１】
2004089477.tif 000003
【図２】
2004089477.tif 000004
【図３】
2004089477.tif 000005
【図４】
2004089477.tif 000006
【図５】
2004089477.tif 000007